(57)【要約】【課題】供給される飼料を家禽の視界に入れることができると共に、必要に応じて多量の飼料が供給でき、且つ、供給量の調整が容易な家禽用給餌装置を提供する。【解決手段】本発明に係る家禽用給餌装置１０は、家禽に飼料を与える家禽用給餌装置において、上部に前記飼料を導入する導入口１８と下部に該飼料を排出する排出口２０とを有する筒状の落下フード１２と、前記落下フード１２の下方に配設されて、前記落下フード１２から排出される前記飼料を貯留して前記家禽に与える給餌皿１４とを備え、前記落下フード１２は、さらに側面に前記飼料を排出する開口部１９が設けられており、スライド移動によって該開口部を開閉する調整板２１が設けられている。【選択図】図１
2013106546.tif 000002
【特許請求の範囲】
【請求項１】
家禽に飼料を与える家禽用給餌装置において、
上部に前記飼料を導入する導入口と下部に該飼料を排出する排出口とを有する筒状の落下フードと、
前記落下フードの下方に配設されて、前記落下フードから排出される前記飼料を貯留して前記家禽に与える給餌皿と、を備え、
前記落下フードは、さらに側面に前記飼料を排出する開口部が設けられており、スライド移動によって該開口部を開閉する調整板が設けられていること
を特徴とする家禽用給餌装置。
【請求項２】
前記落下フードは、前記開口部よりも下方位置の外周面が下端に近づくにつれて外径が大きくなる傾斜面として形成されていること
を特徴とする請求項１記載の家禽用給餌装置。
【請求項３】
前記調整板には、板面を貫通する調整穴が設けられており、
前記調整板をスライド移動させて、前記開口部と前記調整穴との重なり範囲をずらすことにより該開口部の開口量が調整されること
を特徴とする請求項１または請求項２記載の家禽用給餌装置。
【請求項４】
前記開口部は、前記落下フードの周方向に沿って複数設けられており、
前記調整板は、筒状に形成されて前記落下フードに外嵌されると共に、前記調整穴が前記開口部に対応する位置に設けられていること
とする請求項１〜３のいずれか一項に記載の家禽用給餌装置。
【請求項５】
前記開口部および前記調整穴は、少なくとも一方が、水平方向に対して傾斜角を有する傾斜辺を備えた三角形もしくは台形に形成されていること
とする請求項１〜４のいずれか一項に記載の家禽用給餌装置。
【発明の詳細な説明】
【技術分野】
【０００１】
本発明は、家禽に飼料を与える家禽用給餌装置に関するものである。
【背景技術】
【０００２】
ブロイラー等の家禽を飼養するための給餌方法として、飼料タンクに蓄えられた飼料を飼料給餌ラインに通し、給餌ライン上に取り付けた給餌装置に供給する方法が知られている。当該給餌方法において、運ばれた飼料は給餌ラインの給餌口から給餌装置の落下フード内に導入され、落下フードの排出口から排出されて、落下フード下方に設けられた給餌皿上に分配される。
【０００３】
上記の給餌方法に用いられる従来の家禽用給餌装置の例として、特許文献１に開示された技術が知られている。
【先行技術文献】
【特許文献】
【０００４】
【特許文献１】特開平４−２６７８２７号公報
【発明の概要】
【発明が解決しようとする課題】
【０００５】
しかし、特許文献１に例示される構成においては、給餌皿内に貯留される飼料が家禽の視界に入りづらく、飼料の存在を視覚的に示して家禽を引き寄せる効果が低いという課題があった。
【０００６】
また、餌付け時や出荷前等、給餌皿に多量の飼料の供給が必要となる場合があるが、そのような場合において、多量の飼料の供給を可能にすると共に、供給量の調整を容易に行うことが可能な家禽用給餌装置が求められていた。
【０００７】
本発明は、上記課題に鑑みてなされたものであり、供給される飼料を家禽の視界に入れることができると共に、必要に応じて多量の飼料が供給でき、且つ、供給量の調整が容易な家禽用給餌装置を提供することを目的とする。
【課題を解決するための手段】
【０００８】
一実施形態として、以下に開示するような解決手段により、前記課題を解決する。
【０００９】
本発明に係る家禽用給餌装置は、家禽に飼料を与える家禽用給餌装置において、上部に前記飼料を導入する導入口と下部に該飼料を排出する排出口とを有する筒状の落下フードと、前記落下フードの下方に配設されて、前記落下フードから排出される前記飼料を貯留して前記家禽に与える給餌皿と、を備え、前記落下フードは、さらに側面に前記飼料を排出する開口部が設けられており、スライド移動によって該開口部を開閉する調整板が設けられていることを特徴とする。これによれば、落下フード下部の排出口に加えて落下フード側面に設けられた開口部から飼料を供給することができるため、多量の飼料を給餌皿に供給することができると共に、当該飼料を家禽の視界に入れることができる。また、開口部の開口量を調整することができる。
【００１０】
また、本発明において、前記落下フードは、前記開口部よりも下方位置の外周面が下端に近づくにつれて外径が大きくなる傾斜面として形成されていることが好ましい。これによれば、傾斜面があることによって、給餌皿内から開口部の位置まで連続的に且つ幅広に飼料を積み上げることができる。
【００１１】
また、本発明において、前記調整板には、板面を貫通する調整穴が設けられており、前記調整板をスライド移動させて、前記開口部と前記調整穴との重なり範囲をずらすことにより該開口部の開口量が調整されることが好ましい。これによれば、調整板をスライド移動させるだけで、開口部の開口量を容易に調整することができ、飼料の供給量を容易に調整することができる。
【００１２】
また、本発明において、前記開口部は、前記落下フードの周方向に沿って複数設けられており、前記調整板は、筒状に形成されて前記落下フードに外嵌されると共に、前記調整穴が前記開口部に対応する位置に設けられていることが好ましい。これによれば、開口部が周方向に沿って、すなわち全周に渡って複数個設けられているため、全方位の家禽に対して飼料を視界に入れることができると共に、飼料供給量を大幅に増加させることができる。
【００１３】
また、本発明において、前記開口部および前記調整穴は、少なくとも一方が、水平方向に対して傾斜角を有する傾斜辺を備えた三角形もしくは台形に形成されていることが好ましい。これによれば、開口部もしくは調整穴が、水平方向に対して傾斜角を有する傾斜辺を備えているため、調整板を一定量スライドさせた際の、開口部の開口量の変化量を大きくすることができる。
【発明の効果】
【００１４】
本発明に係る家禽用給餌装置によれば、供給される飼料を家禽の視界に入れることができる。また、必要に応じて多量の飼料が供給できると共に、供給量の調整を容易に行うことができる。
【図面の簡単な説明】
【００１５】
【図１】本発明の実施形態に係る家禽用給餌装置の例を示す概略図（斜視図）である。
【図２】図１に示す家禽用給餌装置の概略図（正面断面図）である。
【図３】図１に示す家禽用給餌装置の調整板の例を示す概略図（斜視図）である。
【図４】図１に示す家禽用給餌装置の開口部の開口量調整作用を説明する説明図である。
【図５】図１に示す家禽用給餌装置の開口部から飼料が供給される様子を示す概略図である。
【発明を実施するための形態】
【００１６】
以下、図面を参照して、本発明の実施形態を詳細に説明する。なお、実施形態を説明するための全図において、同一の機能を有する部材には同一の符号を付し、その繰り返しの説明は省略する場合がある。
【００１７】
図１は、本実施形態に係る家禽用給餌装置１０の例を示す斜視図であり、図２は、家禽用給餌装置１０の正面断面図（図１におけるＡ−Ａ線断面図）である。本実施形態の家禽用給餌装置１０は、落下フード１２を通して供給される飼料を給餌皿１４に貯留して家禽に与える装置であり、食用あるいは採卵用等となる家禽の飼養に用いられる。ここで、当該家禽の種類としては特に限定されるものではなく、一例として、鶏（例えばブロイラー、レイヤー、種鶏、地鶏等）、鴨、ウズラ、アヒル等が挙げられる。
【００１８】
本実施形態に係る落下フード１２は、図１、２に示すように、筒状に形成されており、より具体的には上位部分が筒状の円筒部１２ａに形成され、下位部分が筒状の円錐部１２ｂに形成されて、当該円筒部１２ａと円錐部１２ｂとが連通するように接続された構造を有している。ここで、上部すなわち円筒部１２ａの上部には飼料を導入する導入口１８が設けられ、下部すなわち円錐部１２ｂの下部には導入された飼料を排出する排出口２０が設けられている。これによって、搬送された飼料が、導入口１８から落下フード１２内に導入され、筒状の落下フード１２内を通過して、排出口２０から排出されて、落下フード１２の下方に設けられた給餌皿１４上に貯留される作用が得られる。なお、本実施形態においては、飼料タンク（図示せず）から飼料が搬送される搬送パイプ（図示せず）に取り付けるためのアダプター１３が落下フード１２の上部に連結されているが、当該構成に限定されるものではない。
【００１９】
また、本実施形態に係る給餌皿１４は、落下フード１２の下方に設けられ、排出口２０から排出された飼料を貯留するものである。より具体的には、給餌皿１４は、図１、２に示すように、中央部分を上方へ円錐状に隆起させて落下フード１２内（ここでは排出口２０内）に進入する突起部１４ａを有する形状に形成されている。これによって、導入口１８から落下フード１２内に導入された飼料が円錐状の突起部１４ａに衝突して放射状に分配されて排出口２０から排出される作用が生じる。したがって、排出口２０から排出される飼料が給餌皿１４内の周方向に均等に分配されて貯留される効果が得られる。
【００２０】
なお、給餌皿１４は、ガード１６によって支持されて落下フード１２に固定されている。より具体的には、ガード１６は、図１、２に示すように、落下フード１２の外周に嵌合される環状の上部係合部１６ａと給餌皿１４に固定される環状の下部係合部１６ｃとを有すると共に、上部係合部１６ａと下部係合部１６ｃとを連結する複数のアーム部１６ｂを有している。一例として、アーム部１６ｂは板状部材を用いて形成されているが、これに限定されるものではなく、棒状部材を用いて形成してもよい。
【００２１】
ここで、本実施形態に特徴的な構成として、落下フード１２には、下部の排出口２０に加え、さらに側面部分に飼料を排出する開口部１９が設けられている。また、開口部１９には、スライド移動によって当該開口部１９を開閉する調整板２１が設けられている。
【００２２】
本実施形態に係る調整板２１は、図３に示すように円筒状に形成されており、図１、２に示すように落下フード１２に外嵌されて、スライド移動可能に固定される構成となっている。また、円筒状の板面を貫通する調整穴２２が、落下フード１２の各開口部１９に対応する位置に複数個設けられている。
なお、落下フード１２の開口部１９および調整板２１の調整穴２２は、後述の理由により、少なくとも一方が、水平方向に対して傾斜角を有する傾斜辺を備えた三角形もしくは台形に形成されていることが好適である。本実施形態においては、落下フード１２の開口部１９および調整板２１の調整穴２２を共に、水平方向に対して傾斜角を有する傾斜辺２２ａを備えた台形として、同一形状に形成している。
【００２３】
この構成によれば、調整板２１をスライド移動させて、落下フード１２の開口部１９と調整板２１の調整穴２２との重なり範囲をずらすことにより当該開口部１９の開口量を調整することが可能となる。具体的な調整作用について図４を用いて説明する。図４（ａ）は、開口部１９と調整穴２２とが一致した状態、すなわちそれぞれの開口位置が重なっている状態の図である。このとき開口部１９が全開の状態となるため、開口部１９から排出される飼料の量が最大となる。次に、図４（ｂ）は、調整板２１を落下フード１２に対して矢印方向にスライド移動させた状態の図である。図４（ａ）と比較すると、開口部１９の一部が調整穴２２の周辺部で塞がれて、開口部１９の開口量が小さくなり、開口部１９から排出される飼料の量を絞ることができる。次に、図４（ｃ）は、調整板２１を落下フード１２に対してさらに矢印方向にスライド移動させた状態の図である。図４（ｂ）と比較すると、開口部１９の一部が調整穴２２の周辺部でさらに塞がれて、開口部１９の開口量がさらに小さくなり、開口部１９から排出される飼料の量をさらに絞ることができる。次に、図４（ｄ）は、調整板２１を落下フード１２に対してさらに矢印方向にスライド移動させた状態の図である。図４（ｃ）と比較すると、開口部１９の一部が調整穴２２の周辺部でさらに塞がれて、開口部１９の開口量がさらに小さくなり、開口部１９から排出される飼料の量をさらに絞ることができる。次に、図４（ｅ）は、調整板２１を落下フード１２に対してさらに矢印方向にスライド移動させて、開口部１９と調整穴２２とが不一致となった状態、すなわち開口位置の重なりが全く無い状態の図である。このとき開口部１９が全閉の状態となるため、開口部１９からの飼料の排出を停止させることができる。
【００２４】
なお、調整板２１を周方向に固定する方法は、調整板２１の内周面の下部に設けられた係合突起２１ａを、落下フード１２における対応位置に形成された複数の係合溝１７のうち所望の係合溝１７に係合させることによって行われる。また、調整板２１を周方向にスライド移動させる方法は、落下フード１２に対して調整板２１を上方に少し浮かせて係合突起２１ａと係合溝１７との係合を解除した状態で、ツマミ２１ｂを周方向に移動させることによって行われる。
【００２５】
上記の構成を備えることにより、調整板２１をスライド移動させて、落下フード１２の開口部１９と調整板２１の調整穴２２との重なり範囲をずらすことにより当該開口部１９の開口量を容易に調整することができ、飼料の供給量を容易に調整することができる。特に、開口部１９および調整穴２２が、水平方向に対して傾斜角を有する傾斜辺２２ａを備えているため、一定のスライド量で調整できる範囲を大きくする効果が得られる。
【００２６】
また、餌付け時や出荷前等、給餌皿１４に多量の飼料の供給が必要となる場合があるが、そのような場合において、開口部１９を全開の状態（図４（ａ）参照）とすることによって、落下フード１２下部の排出口２０に加えて当該開口部１９からも飼料を供給することが可能となるため、多量の飼料を供給することが可能となる。特に、開口部１９が複数個設けられているため、飼料供給量を大幅に増加させることが可能となる。また上記の通り、飼料の供給量の微調整も容易に行うことができる。
【００２７】
また、本実施形態に係る家禽用給餌装置１に特徴的な構成として、落下フード１２は、開口部１９よりも下方位置の外周面が下端に近づくにつれて外径が大きくなる傾斜面として形成されている（図１、２参照）。本実施形態では、落下フード１２の円錐部１２ｂの外周面が当該傾斜面を構成している。
【００２８】
この構成によれば、図５（開口部１９から飼料４０が供給される様子を示す概略図である）に示すように、落下フード１２に上記傾斜面があることによって、給餌皿１４内から開口部１９の位置まで連続的に且つ幅広に飼料４０を積み上げることが可能となる。
その結果、給餌皿１４の内部を家禽が覗き込まなくても、供給される飼料４０を家禽の視界に入れることができるため、飼料４０の存在を視覚的に示して家禽を引き寄せる効果が高まり、飼料４０のついばみを促進する効果が得られる。特に、給餌皿１４から水平方向に離れた位置にいる家禽からも飼料４０が見える点で非常に有効である。また、本実施形態においては、開口部１９が周方向に沿って、すなわち全周に渡って複数個設けられているため、全方位の家禽に対して上記効果を奏することができる。
【００２９】
以上説明した通り、開示の家禽用給餌装置によれば、必要に応じて開口部を開口することによって、落下フード下部の排出口に加えて当該開口部からも飼料を供給することが可能となるため、多量の飼料を給餌皿に供給することが可能となる。
【００３０】
また、調整板をスライド移動させるだけで、開口部の開口量を容易に調整することができ、飼料の供給量を容易に調整することができる。
【００３１】
また、開口部から飼料を供給することによって、当該飼料を家禽の視界に入れることができるため、飼料の存在を視覚的に示して家禽を引き寄せる効果が高まり、飼料のついばみを促進する効果が得られる。
【００３２】
なお、本発明は、以上説明した実施形態に限定されることなく、本発明を逸脱しない範囲において種々変更可能であることは言うまでもない。特に、本発明に係る家禽用給餌装置は家禽用として最も好適に用いることができるが、家禽以外の動物に適用することも当然に可能である。
【符号の説明】
【００３３】
１０  家禽用給餌装置
１２  落下フード
１３  アダプター
１４  給餌皿
１６  ガード
１６ａ  上部係合部
１６ｂ  アーム部
１６ｃ  下部係合部
１７  係合溝
１８  導入口
１９  開口部
２０  排出口
２１  調整板
２２  調整穴
４０  飼料
【図１】
2013106546.tif 000003
【図２】
2013106546.tif 000004
【図３】
2013106546.tif 000005
【図４】
2013106546.tif 000006
【図５】
2013106546.tif 000007
【手続補正書】
【提出日】平成24年2月21日(2012.2.21)
【手続補正１】
【補正対象書類名】特許請求の範囲
【補正対象項目名】全文
【補正方法】変更
【補正の内容】
【特許請求の範囲】
【請求項１】
家禽に飼料を与える家禽用給餌装置において、
上部に前記飼料を導入する導入口と下部に該飼料を排出する排出口とを有する筒状の落下フードと、
前記落下フードの下方に配設されて、前記落下フードから排出される前記飼料を貯留して前記家禽に与える給餌皿と、を備え、
前記落下フードは、さらに側面に前記飼料を排出する開口部が該落下フードの周方向に沿って複数設けられていると共に、該開口部よりも下方位置の外周面が下端に近づくにつれて外径が大きくなる傾斜面として形成されており、スライド移動によって該開口部を開閉する調整板が設けられており、
前記調整板は、筒状に形成されて前記落下フードに外嵌されると共に、板面を貫通する調整穴が前記開口部に対応する位置に設けられており、
前記開口部および前記調整穴は、少なくとも一方が、水平方向に対して傾斜角を有する傾斜辺を備えた三角形もしくは台形に形成されており、
前記調整板をスライド移動させて、前記開口部と前記調整穴との重なり範囲をずらすことにより該開口部の開口量が調整されること
を特徴とする家禽用給餌装置。
【手続補正２】
【補正対象書類名】明細書
【補正対象項目名】０００９
【補正方法】変更
【補正の内容】
【０００９】
本発明に係る家禽用給餌装置は、家禽に飼料を与える家禽用給餌装置において、上部に前記飼料を導入する導入口と下部に該飼料を排出する排出口とを有する筒状の落下フードと、前記落下フードの下方に配設されて、前記落下フードから排出される前記飼料を貯留して前記家禽に与える給餌皿と、を備え、前記落下フードは、さらに側面に前記飼料を排出する開口部が該落下フードの周方向に沿って複数設けられていると共に、該開口部よりも下方位置の外周面が下端に近づくにつれて外径が大きくなる傾斜面として形成されており、スライド移動によって該開口部を開閉する調整板が設けられており、前記調整板は、筒状に形成されて前記落下フードに外嵌されると共に、板面を貫通する調整穴が前記開口部に対応する位置に設けられており、前記開口部および前記調整穴は、少なくとも一方が、水平方向に対して傾斜角を有する傾斜辺を備えた三角形もしくは台形に形成されており、前記調整板をスライド移動させて、前記開口部と前記調整穴との重なり範囲をずらすことにより該開口部の開口量が調整されることを特徴とする。これによれば、落下フード下部の排出口に加えて落下フード側面に設けられた開口部から飼料を供給することができるため、多量の飼料を給餌皿に供給することができると共に、当該飼料を家禽の視界に入れることができる。また、開口部の開口量を調整することができる。
【手続補正３】
【補正対象書類名】明細書
【補正対象項目名】００１０
【補正方法】変更
【補正の内容】
【００１０】
また、前記落下フードは、前記開口部よりも下方位置の外周面が下端に近づくにつれて外径が大きくなる傾斜面として形成されていることから、傾斜面があることによって、給餌皿内から開口部の位置まで連続的に且つ幅広に飼料を積み上げることができる。
【手続補正４】
【補正対象書類名】明細書
【補正対象項目名】００１１
【補正方法】変更
【補正の内容】
【００１１】
また、前記調整板には、板面を貫通する調整穴が設けられており、前記調整板をスライド移動させて、前記開口部と前記調整穴との重なり範囲をずらすことにより該開口部の開口量が調整されることから、調整板をスライド移動させるだけで、開口部の開口量を容易に調整することができ、飼料の供給量を容易に調整することができる。
【手続補正５】
【補正対象書類名】明細書
【補正対象項目名】００１２
【補正方法】変更
【補正の内容】
【００１２】
また、前記開口部は、前記落下フードの周方向に沿って複数設けられており、前記調整板は、筒状に形成されて前記落下フードに外嵌されると共に、前記調整穴が前記開口部に対応する位置に設けられていることから、開口部が周方向に沿って、すなわち全周に渡って複数個設けられているため、全方位の家禽に対して飼料を視界に入れることができると共に、飼料供給量を大幅に増加させることができる。
【手続補正６】
【補正対象書類名】明細書
【補正対象項目名】００１３
【補正方法】変更
【補正の内容】
【００１３】
また、前記開口部および前記調整穴は、少なくとも一方が、水平方向に対して傾斜角を有する傾斜辺を備えた三角形もしくは台形に形成されていることから、開口部もしくは調整穴が、水平方向に対して傾斜角を有する傾斜辺を備えているため、調整板を一定量スライドさせた際の、開口部の開口量の変化量を大きくすることができる。